(57)【要約】【課題】  記録紙サイズダイヤルを回動させた場合の表示部の摩耗、回動時の異音や引っ掛かり感を防止した画像形成装置を提供する。【解決手段】  記録紙サイズダイヤル２１には、記録紙サイズダイヤル２１の回動方向に沿って外周面に形成された摺接部２４と、前記摺接部２４の側方の外周面に形成された記録紙のサイズを表示する表示部２５と、前記摺接部２４に連続して形成され、係止部材３１が係合及び解除可能である凹部２６と、を設け、前記係止部材３１を、前記摺接部２４及び前記凹部２６に付勢状態で摺接させる。記録紙サイズダイヤル２１を回動させた場合には、係止部材３１の凸部３４は、摺接部２４及び凹部２６に摺接し、表示部２５には接触しないため、係止部材３１が表示部２５に接触することによる表示部２５の摩耗や、回動時の異音、引っ掛かり感を防止することができる。【選択図】図３
2008050115.tif 000002
【特許請求の範囲】
【請求項１】
蓄積された記録紙のサイズを表示するとともに、画像形成装置本体に前記記録紙のサイズを検出させる記録紙サイズダイヤルと、前記記録紙サイズダイヤルに摺接し、記録紙サイズダイヤルを所定位置で停止させる係止部材と、を給紙カセットに設けた画像形成装置であって、
前記記録紙サイズダイヤルは、記録紙サイズダイヤルの回動方向に沿って外周面に形成された摺接部と、前記摺接部の側方の外周面に形成された記録紙のサイズを表示する表示部と、前記摺接部に連続して形成され、前記係止部材が係合及び解除可能である被係合部と、を有し、
前記係止部材は、前記摺接部及び前記被係合部に付勢状態で摺接するとともに、前記被係合部に係合した状態では記録紙サイズダイヤルを所定位置で停止させる係合部を有することを特徴とする画像形成装置。
【請求項２】
係止部材の係合部が、記録紙サイズダイヤルの外周面に対して傾斜させて設けられており、摺接部及び被係合部に前記係合部が摺接することを特徴とする請求項１に記載の画像形成装置。
【請求項３】
記録紙サイズダイヤルの摺接部は、少なくとも表示部に隣接した部分を表示部より半径方向外側に突出させたことを特徴とする請求項１又は２のいずれか１項に記載の画像形成装置。
【発明の詳細な説明】
【技術分野】
【０００１】
本発明は、ファクシミリ装置や、複写機等の画像形成装置に関し、より詳しくは、給紙カセットの記録紙サイズダイヤルの技術に関する。
【背景技術】
【０００２】
従来、ファクシミリ装置や、複写機等の画像形成装置には給紙カセットが設けられている。前記給紙カセットは、任意のサイズの記録紙が蓄積され、画像形成装置本体に挿入されて画像記録部に記録紙を供給する。前記給紙カセットには、ピックアップ機構が設けられており、ピックアップローラが回動することによって載置された記録紙を１枚づつ繰り出して、画像記録部に記録紙を供給する。
【０００３】
前記給紙カセットに、記録紙のサイズを表示するとともに、画像形成装置本体に記録紙のサイズ情報を伝達するための記録紙サイズダイヤルが設けられている画像形成装置が知られている（例えば、特許文献１参照。）。図１４に示すように、前記従来の記録紙サイズダイヤル５２の外周面には、刻印や印刷等により、「Ａ５」、「Ｂ４」などの記録紙のサイズを表示する表示部５３と、凹部５４が形成されている。給紙カセット本体５１には、係止部材５５が設けられており、前記係止部材５５は取付部５６、支持部５７及び凸部５８から構成されている。前記凸部５８は、図１５、図１６に示すように、前記記録紙サイズダイヤル５２の外周面に付勢状態で摺接されている。前記記録紙サイズダイヤル５２を回動させて、外周面の凹部５４に係止部材５５の凸部５８を係合及び解除可能とすることにより、記録紙サイズダイヤル５２の回動にクリック感を出すとともに、凹部５４と凸部５８を係合させた状態では、記録紙サイズダイヤル５２の回動を所定の位置で停止させるようにしている。
【０００４】
また、前記記録紙サイズダイヤル５２には、画像形成装置本体に設けたセンサに接触させて、記録紙のサイズを検出させるための突出部５９が形成されており、記録紙サイズダイヤル５２の表示部５３の表示を記録紙のサイズに合わせた上で、給紙カセットを画像形成装置本体に挿入すると、前記突出部５９が画像形成装置本体側のセンサに検出され、画像形成装置本体に記録紙のサイズ情報が伝達されるようになっている。
【特許文献１】特開２００３−２４５３号公報
【発明の開示】
【発明が解決しようとする課題】
【０００５】
しかしながら、前記従来の画像形成装置では、図１４、図１５に示すように、取付部５６に対して支持部５７が略直角に折り曲げられており、図１６に示すように、係止部材５５の凸部５８は、記録紙サイズダイヤル５２の外周面に対して略平行に付勢状態で摺接している。このため、記録紙サイズダイヤル５２を回動させると、刻印や印刷等の表示部５３に凸部５８が摺接してしまい、前記表示部５３が摩耗するという問題がある。また、表示部５３が刻印で形成されている場合には、係止部材５５の凸部５８が刻印に接触して回動時に異音がしたり、引っ掛かり感が生じるという問題もある。
【０００６】
本発明は前記の問題点に鑑みてなされたものであり、記録紙サイズダイヤルを回動させた場合の表示部の摩耗、回動時の異音や引っ掛かり感を防止した画像形成装置を提供することを課題とする。
【課題を解決するための手段】
【０００７】
本発明の解決しようとする課題は以上の如くであり、次にこの課題を解決するための手段を説明する。
【０００８】
即ち、請求項１に記載の発明では、蓄積された記録紙のサイズを表示するとともに、画像形成装置本体に前記記録紙のサイズを検出させる記録紙サイズダイヤルと、前記記録紙サイズダイヤルに摺接し、記録紙サイズダイヤルを所定位置で停止させる係止部材と、を給紙カセットに設けた画像形成装置であって、
前記記録紙サイズダイヤルは、記録紙サイズダイヤルの回動方向に沿って外周面に形成された摺接部と、前記摺接部の側方の外周面に形成された記録紙のサイズを表示する表示部と、前記摺接部に連続して形成され、前記係止部材が係合及び解除可能である被係合部と、を有し、
前記係止部材は、前記摺接部及び前記被係合部に付勢状態で摺接するとともに、前記被係合部に係合した状態では記録紙サイズダイヤルを所定位置で停止させる係合部を有することを特徴とする画像形成装置とした。
【０００９】
請求項２に記載の発明では、請求項１に記載の発明において、係止部材の係合部が、記録紙サイズダイヤルの外周面に対して傾斜させて設けられており、摺接部及び被係合部に前記係合部が摺接することとした。
【００１０】
請求項３に記載の発明では、請求項１または２のいずれか１項に記載の発明において、記録紙サイズダイヤルの摺接部は、少なくとも表示部に隣接した部分を表示部より半径方向外側に突出させることとした。
【発明の効果】
【００１１】
本発明の効果として、以下に示すような効果を奏する。
【００１２】
請求項１に記載の発明によれば、記録紙サイズダイヤルの外周面に、記録紙サイズダイヤルの回動方向に沿って摺接部を形成し、係止部材の係合部が係合する被係合部を前記摺接部に連続して形成しており、前記係合部を摺接部と被係合部に摺接させている。このため、記録紙サイズダイヤルを回動させた場合に、係止部材の係合部は、摺接部及び被係合部に摺接し、表示部には接触しない。従って、係止部材が表示部に接触することによる表示部の摩耗や、回動時の異音、引っ掛かり感を防止することができる。
【００１３】
請求項２に記載の発明によれば、係止部材の係合部が、記録紙サイズダイヤルの外周面に対して傾斜させて設けられており、摺接部及び被係合部に前記係合部が摺接する。このため、記録紙サイズダイヤルを回動させた場合に、前記係合部は、摺接部及び被係合部に摺接し、表示部には接触しない。従って、係止部材が表示部に接触することによる表示部の摩耗や、回動時の異音、引っ掛かり感を防止することができる。
【００１４】
請求項３に記載の発明によれば、記録紙サイズダイヤルの摺接部は、少なくとも表示部に隣接した部分を表示部より半径方向外側に突出させている。このため、記録紙サイズダイヤルを回動させた場合に、係止部材の係合部は、摺接部の突出した部分に摺接し、表示部には接触しない。従って、係止部材が表示部に接触することによる表示部の摩耗や、回動時の異音、引っ掛かり感を防止することができる。
【発明を実施するための最良の形態】
【００１５】
次に、発明の実施の形態について図を用いて説明する。
【実施例１】
【００１６】
本発明の実施例１に係る画像形成装置としての複合機４１について、図１から図９を用いて説明する。
【００１７】
まず、本実施例の画像形成装置としての複合機４１の概略構成について、図１に基づいて説明する。尚、以下の説明においては、複合機４１の装置全体の説明においては、図１に示すように、通常使用状態における上、下をそれぞれ上方、下方とする。また、給紙カセット１１の説明においては、図２の矢印Ａで示す記録紙（図示せず）の搬送方向を前方とし、その反対方向を後方とし、通常使用状態における上、下をそれぞれ上方、下方とする。
【００１８】
前記複合機４１は、上方に画像読取部４２を配置し、画像読取部４２の下方に画像記録部４３を配置し、画像記録部４３の下方には給紙部４４を配置している。給紙部４４から画像記録部４３へ記録紙が供給され、画像記録部４３で記録紙に画像が記録された後、記録紙は記録紙排出トレイ４５へ排出される。
【００１９】
前記画像読取部４２においては、ケーシングに光源、ミラーを備えた走査体等からなる画像読取装置（図示せず）が収納されており、ケーシングの上面は透明の原稿載置面となっている。画像読取部４２の上方には、原稿押えカバー４６が配置されており、原稿押えカバー４６は一辺を中心として開閉可能に支持されている。また、前記原稿押えカバー４６の一端部には原稿を自動的に給紙するＡＤＦ装置４７（自動給紙装置）が付設されている。ＡＤＦ装置４７には原稿トレイ４９が設けられ、原稿押えカバー４６の上方には原稿排出トレイ４８が設けられている。
【００２０】
前記複合機４１は、走査体を走査させて静止原稿を読み取るフラットベッドタイプのスキャナとして用いる場合、原稿の内容の読み取りは、原稿載置面に原稿を載置して原稿押えカバー４６で原稿を上方から押え、画像読取部４２において、原稿を走査体により走査して原稿の内容を読み取る。一方、走査体を位置固定して原稿を搬送しながら読み取りを行うシートフィードタイプのスキャナとして用いる場合、原稿の内容の読み取りは、原稿トレイ４９に載置された原稿をＡＤＦ装置４７により一枚ずつピックアップして搬送し、走査体は静止状態として搬送される原稿の内容を読み取る。読み取り後の原稿は原稿排出トレイ４８へ排出される。
【００２１】
次に給紙カセット１１について説明する。図１に示すように、給紙部４４には、複数の給紙カセット１１が引き出し自在に設けられている。給紙カセット１１は、内部に記録紙を蓄積した状態で給紙部４４に挿入されて、画像記録部４３へ記録紙を供給するものである。図２に示すように、給紙カセット本体１２は上面が全面的に開口されており、給紙カセット本体１２内部には記録紙を載置するためのフラッパ１３が回動自在に設けられている。給紙カセット１１には、サイドガイド１４が記録紙の搬送方向に対して左右に対向するように設けられている。また、エンドガイド１５が記録紙の搬送方向に対して後方に設けられている。前記サイドガイド１４及びエンドガイド１５は記録紙の端部を押圧して記録紙の位置決めを行うものであり、これらによって囲まれる位置が記録紙を載置する位置となる。そして、給紙カセット本体１２の前方であって前記フラッパ１３の上方には、フラッパ１３上に載置された記録紙を１枚ずつ取り出して画像記録部４３へ供給するためのピックアップ機構１６が設けられている。
【００２２】
次に、記録紙サイズダイヤル２１について説明する。記録紙サイズダイヤル２１は、給紙カセット１１に蓄積された記録紙のサイズを表示するとともに、記録紙のサイズ情報を複合機４１本体に伝達するためのものである。図２に示すように、記録紙サイズダイヤル２１は、給紙カセット１１のフロントカバー１７の一端側に設けられている。図３に示すように、記録紙サイズダイヤル２１は、円盤状のダイヤル主体２２と、前記ダイヤル主体２２の周縁部に沿って形成された側壁部２３とを有している。記録紙サイズダイヤル２１のダイヤル主体２２と側壁部２３は、合成樹脂素材で一体に形成されている。前記ダイヤル主体２２の中央部には取付用孔（図示せず）が形成され、前記フロントカバー１７の内側（給紙カセット１１の挿入方向に対して奥側）には取付用軸（図示せず）が突設されており、記録紙サイズダイヤル２１は、前記取付用孔に前記取付用軸を挿通させて、フロントカバー１７に対して回動自在に取り付けられている。
【００２３】
前記給紙カセット１１のフロントカバー１７には切欠窓部１８が形成されており、切欠窓部１８から記録紙サイズダイヤル２１の側壁部２３の一部が露出している。給紙カセット１１を給紙部４４から引き出した状態では、前記切欠窓部１８から記録紙サイズダイヤル２１に形成された後記表示部２５を目視可能であるとともに、手指によって記録紙サイズダイヤル２１を回動操作することが可能である。
【００２４】
図３に示すように、前記記録紙サイズダイヤル２１の側壁部２３の外周面には、記録紙サイズダイヤル２１の回動方向に沿って、摺接部２４が形成されている。本実施例では、摺接部２４は側壁部２３の外側（給紙カセット１１の挿入方向に対して手前側）の端部に形成されている。図３において、摺接部２４は、２点鎖線によって区分けされた部分の図示右側の範囲である。摺接部２４には後記係止部材３１の係合部としての凸部３４が摺接する。
【００２５】
図３に示すように、前記記録紙サイズダイヤル２１の側壁部２３の外周面であって、前記摺接部２４の側方、すなわち、前記摺接部２４の領域よりも給紙カセット１１の挿入方向に対して奥側には、記録紙のサイズを表示する表示部２５が形成されている。前記表示部２５は記録紙サイズダイヤル２１の中心から見て９０度間隔で４箇所に設けられており、刻印によって「Ａ５」、「Ｂ４」などの記録紙のサイズが表示されている。尚、表示部２５は刻印の他、印刷手段等によって形成するようにしてもよい。
【００２６】
図３、図４に示すように、前記記録紙サイズダイヤル２１の側壁部２３の外周面には、前記摺接部２４に連続させて被係合部としての凹部２６が形成されている。前記凹部２６は、後記係止部材３１の係合部としての凸部３４の係合及び解除が可能である部分である。前記凹部２６は、前記表示部２５と異なる位置に記録紙サイズダイヤル２１の中心から見て９０度間隔で４箇所に設けられている。前記記録紙サイズダイヤル２１を回動させて、係止部材３１の係合部としての凸部３４を凹部２６に係合及び解除させることにより、クリック感を出すとともに、係合させた状態では記録紙サイズダイヤル２１の回動を所定位置で停止させる。
【００２７】
図３、図４に示すように、前記記録紙サイズダイヤル２１のダイヤル主体２２の内側（給紙カセット１１の挿入方向に対して奥側）には、複合機４１本体に設けたセンサ（図示せず）に接触させて、記録紙のサイズを検出させるための突出部２８が形成されている。突出部２８は記録紙サイズダイヤル２１の中心から見て９０度間隔で３箇所に形成されている。突出部２８の位置及び形状は、記録紙サイズダイヤル２１の表示部２５を蓄積された記録紙のサイズに合わせた上で、すなわち、適正な表示部２５の表示を前記切欠窓部１８から目視できる位置に合わせた上で、給紙カセット１１を複合機４１本体に挿入すると、前記突出部２８が複合機４１本体側のセンサに検出され、複合機４１本体に記録紙のサイズ情報が伝達されるように形成されている。前記突出部２８に関しては従来公知の技術を適用することが可能である。
【００２８】
次に、係止部材３１について説明する。図３、図４に示すように、係止部材３１は、前記記録紙サイズダイヤル２１の図示下方であって、フロントカバー１７に取り付けられている部材である。係止部材３１は平面状態で略Ｌ字形状の板バネを折り曲げ加工することによって形成されており、取付部３２、支持部３３及び係合部としての凸部３４とを有している。前記凸部３４は、記録紙サイズダイヤル２１の被係合部としての凹部２６に係合及び解除可能であり、クリック感を出すとともに、凹部２６に係合した状態では、記録紙サイズダイヤル２１の回動を所定の位置で停止させるものである。尚、本実施例では、係止部材３１は板バネを折り曲げ加工することにより形成したが、合成樹脂素材を用いて一体成形してもよい。
【００２９】
前記取付部３２は、係止部材３１をフロントカバー１７に取り付けるための部分である。図３に示すように、前記取付部３２は、前記略Ｌ字形状の板バネの１辺であり、フロントカバー１７に取り付けるための取付用孔（図示せず）が形成されている。
【００３０】
図３、図４に示すように、前記支持部３３は前記取付部３２に連続して形成される部分であり、前記係合部としての凸部３４が形成される部分である。前記支持部３３は、前記略Ｌ字形状の板バネの１辺である取付部３２に対して、他の１辺を折り曲げ加工することにより形成されている。前記取付部３２に対して支持部３３は、平板の状態から９０度を超えて折り曲げられており、その折り曲げ部において取付部３２と支持部３３とが成す角度は鋭角とされている。
【００３１】
前記係合部としての凸部３４は、記録紙サイズダイヤル２１の摺接部２４及び凹部２６に付勢状態で摺接する部分である。図３、図４に示すように、前記凸部３４は、支持部３３の自由端側の一部を湾曲させて形成されており、形状は、円筒を縦方向に半割りした形状に形成されている。前記のように、取付部３２と支持部３３とが成す角度を鋭角としており、図５に示すように、支持部３３に形成される凸部３４と、記録紙サイズダイヤル２１の外周面とが傾斜状態で摺接することとなる。本実施例では、支持部３３に形成される凸部３４と、記録紙サイズダイヤル２１の外周面とが成す傾斜角度は、約１０度となっている。
【００３２】
前記係止部材３１のフロントカバー１７への取り付けは、前記取付部３２の取付用孔に挿通された前記固定手段としてのネジ３６によって取り付けられる。取り付け位置は、図３、図４に示すように、まず、前記凸部３４の上部が、前記記録紙サイズダイヤル２１の被係合部としての凹部２６及び摺接部２４に付勢状態で摺接するように取り付ける。また、図４に示すように、取付部３２と支持部３３との折曲部３５が記録紙サイズダイヤル２１の下端部よりも上方となるように取り付けて、付勢力が十分発揮できるようにする。尚、このとき、係止部材３１の凸部３４が記録紙サイズダイヤル２１の凹部２６に係合し、記録紙サイズダイヤル２１を停止させた状態において、適正な表示部２５の表示が前記切欠窓部１８から目視できるようにすることは言うまでもない。
【００３３】
以上説明した実施例１に係る複合機４１によれば、記録紙サイズダイヤル２１の外周面に、記録紙サイズダイヤル２１の回動方向に沿って摺接部２４を形成しており、係止部材３１の凸部３４が係合する凹部２６を前記摺接部２４に連続して形成している。また、取付部３２と支持部３３とが成す角度を鋭角とし、支持部３３に形成される凸部３４を、記録紙サイズダイヤル２１の外周面の摺接部２４及び凹部２６に対して傾斜した状態で摺接させている。このため、記録紙サイズダイヤル２１を回動させた場合に係止部材３１の凸部３４は、摺接部２４及び凹部２６に摺接し、表示部２５には接触しない。従って、係止部材３１が表示部２５に接触することによる表示部２５の摩耗や、回動時の異音、引っ掛かり感を防止することができる。
【００３４】
尚、本実施例では、係止部材３１の凸部３４と記録紙サイズダイヤル２１の外周面とが成す傾斜角度を約１０度としたが、傾斜角度はこれに限定されず、前記凸部３４が摺接部２４及び凹部２６には摺接し、表示部２５との接触は回避できるように傾斜角度を設定すればよい。
【００３５】
また、本実施例では、前記凸部３４を、摺接部２４に対して傾斜した状態で摺接させるため、取付部３２と支持部３３との成す角度が鋭角となるように折り曲げ加工したが、板バネの折り曲げ加工時には取付部３２と支持部３３との成す角度を直角あるいは鈍角としておき、係止部材３１を取り付ける際に、凸部３４を記録紙サイズダイヤル２１の摺接部２４に圧接させることにより、支持部３３を取付部３２に対して撓ませて、前記凸部３４を摺接部２４に対して傾斜させるようにしてもよい。
【００３６】
また、取付部３２と支持部３３との成す角度にかかわらず、取付部３２をフロントカバー１７に対して傾斜させて取り付け、係止部材３１自体を傾斜させることにより、前記凸部３４を摺接部２４に対して傾斜させるようにしてもよい。
【００３７】
また、本実施例では、図３、図４に示すように、凸部３４の形状は、円筒を縦方向に半割りした形状に形成したが、これに限定されず、例えば、図６、図７に示すように、截頭円錐筒を縦方向に半割りした形状となるように形成してもよい。凸部３４の形状を、図６、図７に示すように、截頭円錐筒を縦方向に半割りした形状とした場合、凸部３４の図示上部、すなわち記録紙サイズダイヤル２１の外周面に摺接する部分は、支持部３３に対して傾斜した形状となる。このため、取付部３２と支持部３３との成す角度にかかわらず、凸部３４を、記録紙サイズダイヤル２１の外周面の摺接部２４に対して傾斜した状態で摺接させることができる。従って、記録紙サイズダイヤル２１を回動させた場合に、係止部材３１の凸部３４は摺接部２４及び凹部２６に摺接し、表示部２５には接触しない。よって、係止部材３１が表示部２５に接触することによる表示部２５の摩耗や、回動時の異音、引っ掛かり感を防止することができる。
【００３８】
また、本実施例では、摺接部２４は側壁部２３の外側（給紙カセット１１の挿入方向に対して手前側）の端部に形成したが、図８に示すように、側壁部２３の内側（給紙カセット１１の挿入方向に対して奥側）に形成し、前記凸部３４を本実施例とは逆に傾斜させて、前記凸部３４を、摺接部２４に対して傾斜した状態で摺接させるようにしてもよい。尚、この場合は、前記凸部３４を図８に示す如く傾斜させるため、係止部材３１の取付部３２と支持部３３との成す角度が鈍角となるように折り曲げ加工を行う。
【００３９】
また、本実施例では、図４に示すように、取付部３２と支持部３３との折曲部３５が記録紙サイズダイヤル２１の下端部より上方となるように取り付けたが、図９に示すように、取付部３２と支持部３３との折曲部３５が記録紙サイズダイヤル２１の下端部よりも下方となる位置、あるいは、取付部３２と支持部３３との折曲部３５が記録紙サイズダイヤル２１の下端部と略同一高さとなるように取り付けてもよい。
【実施例２】
【００４０】
次に本発明の実施例２に係る画像形成装置としての複合機４１について、図１０から図１２に基づいて説明する。実施例２では、記録紙サイズダイヤル２１の側壁部２３の外側に、リブ２７が形成されている点が、前記実施例とは大きく異なっている。前記実施例と同一部分は同一符号を付して詳しい説明は省略する。
【００４１】
図１０から図１２に示すように、記録紙サイズダイヤル２１の摺接部２４にはリブ２７が形成されている。リブ２７が形成されている部分は、表示部２５に隣接した部分である。リブ２７は記録紙サイズダイヤル２１の半径方向に突出させており、刻印の形成された表示部２５より半径方向外側に突出させている。
【００４２】
記録紙サイズダイヤル２１の摺接部２４であって、表示部２５に隣接した部分にリブ２７が形成されていることにより、図１２に示すように、記録紙サイズダイヤル２１を回動させた場合に係止部材３１の凸部３４は前記リブ２７に摺接して浮き上がり、表示部２５には接触しない。従って、係止部材３１が表示部２５に接触することによる表示部２５の摩耗や、回動時の異音、引っ掛かり感を防止することができる。
【００４３】
尚、本実施例では、図１０から図１２に示すように、前記凸部３４を記録紙サイズダイヤル２１の外周面に対して傾斜させたが、前記凸部３４を記録紙サイズダイヤル２１の外周面に対して略平行とした場合であっても、前記凸部３４をリブ２７に摺接させて表示部２５との接触は防止できるため、表示部２５の摩耗や、回動時の異音、引っ掛かり感を防止することができる。
【００４４】
また、本実施例では、リブ２７は表示部２５に隣接した部分のみに形成したが、これに限定されず、摺接部２４の全周に形成するようにしてもよい。また、リブ２７は表示部２５の片側のみに形成したが、表示部２５を挟むように両側に形成するようにしてもよい。
【００４５】
また、本実施例では、リブ２７は側壁部２３の外側（給紙カセット１１の挿入方向に対して手前側）の端部に形成したが、側壁部２３の内側（給紙カセット１１の挿入方向に対して奥側）に形成してもよい。
【実施例３】
【００４６】
次に本発明の実施例３に係る画像形成装置としての複合機４１について、図１３に基づいて説明する。実施例３では、係止部材３１の凸部３４が、摺接部２４に対向する部分のみに形成されている点が、前記実施例とは大きく異なっている。前記実施例と同一部分は同一符号を付して詳しい説明は省略する。
【００４７】
図１３に示すように、摺接部２４は、記録紙サイズダイヤル２１の側壁部２３の外側（給紙カセット１１の挿入方向に対して手前側）の端部と、側壁部２３の内側（給紙カセット１１の挿入方向に対して奥側）の端部とに形成されている。係止部材３１の凸部３４は、前記摺接部２４に対向する位置に形成されており、表示部２５に対向する位置には形成されていない。このため、記録紙サイズダイヤル２１を回動させた場合に係止部材３１の凸部３４は、摺接部２４及び凹部２６に摺接し、表示部２５には接触しない。従って、係止部材３１が表示部２５に接触することによる表示部２５の摩耗や、回動時の異音、引っ掛かり感を防止することができる。
【００４８】
尚、摺接部２４は、記録紙サイズダイヤル２１の側壁部２３の外側又は内側のみとし、係止部材３１の凸部３４を、前記摺接部２４に対向する位置に形成するようにしてもよい。
【００４９】
以上説明した本発明の技術的範囲は、上記の実施例に限定されるものではなく、上記実施例の形状に限定されない。本発明の技術的範囲は、本明細書及び図面に記載した事項から明らかになる本発明が真に意図する技術的思想の範囲全体に、広く及ぶものである。
【図面の簡単な説明】
【００５０】
【図１】画像形成装置としての複合機４１の斜視簡略図。
【図２】本発明の実施例における給紙カセット１１の斜視簡略図。
【図３】実施例１における記録紙サイズダイヤル２１の斜視簡略図。
【図４】実施例１における記録紙サイズダイヤル２１の正面簡略図。
【図５】図４の５−５線における簡略断面図。
【図６】記録紙サイズダイヤル２１の変形例についての正面簡略図。
【図７】図６の７−７線における簡略断面図。
【図８】記録紙サイズダイヤル２１の変形例についての簡略断面図。
【図９】記録紙サイズダイヤル２１の変形例についての正面簡略図。
【図１０】実施例２における記録紙サイズダイヤル２１の斜視簡略図。
【図１１】実施例２における記録紙サイズダイヤル２１の正面簡略図。
【図１２】図１１の１２−１２線における簡略断面図。
【図１３】実施例３における記録紙サイズダイヤル２１の簡略断面図。
【図１４】従来の画像形成装置における記録紙サイズダイヤル５１の斜視簡略図。
【図１５】従来の画像形成装置における記録紙サイズダイヤル５１の正面簡略図。
【図１６】図１５の１６−１６線における簡略断面図。
【符号の説明】
【００５１】
１１    給紙カセット
１２    給紙カセット本体
１３    フラッパ
１４    サイドガイド
１５    エンドガイド
１６    ピックアップ機構
１７    フロントカバー
１８    切欠窓部
２１    記録紙サイズダイヤル
２２    ダイヤル主体
２３    側壁部
２４    摺接部
２５    表示部
２６    被係合部としての凹部
２７    リブ
２８    突出部
３１    係止部材
３２    取付部
３３    支持部
３４    係合部としての凸部
３５    折曲部
３６    ネジ
４１    画像形成装置としての複合機
４２    画像読取部
４３    画像記録部
４４    給紙部
４５    記録紙排出トレイ
４６    原稿押えカバー
４７    ＡＤＦ装置（自動給紙装置）
４８    原稿排出トレイ
４９    原稿トレイ
５１    給紙カセット本体
５２    記録紙サイズダイヤル
５３    表示部
５４    凹部
５５    係止部材
５６    取付部
５７    支持部
５８    凸部
５９    突出部
【図１】
2008050115.tif 000003
【図２】
2008050115.tif 000004
【図３】
2008050115.tif 000005
【図４】
2008050115.tif 000006
【図５】
2008050115.tif 000007
【図６】
2008050115.tif 000008
【図７】
2008050115.tif 000009
【図８】
2008050115.tif 000010
【図９】
2008050115.tif 000011
【図１０】
2008050115.tif 000012
【図１１】
2008050115.tif 000013
【図１２】
2008050115.tif 000014
【図１３】
2008050115.tif 000015
【図１４】
2008050115.tif 000016
【図１５】
2008050115.tif 000017
【図１６】
2008050115.tif 000018